(57)【要約】【課題】タイマー設定時の使い勝手を向上することが可能なリモコン装置を提供する。【解決手段】表示部１３と、表示部１３に重ねて配置されたタッチパネル１５と、操作対象の機器のタイマー制御を行う制御部１１とを備え、制御部１１は、現在からの時間を指定してタイマー設定を行う時間指定領域２３２と、時刻を指定してタイマー設定を行う時刻指定領域２３３とを有する設定画面１２８を表示部に表示させ、設定画面１２８から、時間指定および時刻指定の両方の指定方法でのタイマー設定を受け付ける。【選択図】図１７
2016039441.tif 000002
【特許請求の範囲】
【請求項１】
表示部と、
前記表示部に重ねて配置されたタッチパネルと、
操作対象の機器のタイマー制御を行う制御部とを備え、
前記制御部は、現在からの時間を指定してタイマー設定を行う時間指定領域と、時刻を指定してタイマー設定を行う時刻指定領域とを有する設定画面を前記表示部に表示させ、前記設定画面から、時間指定および時刻指定の両方の指定方法でのタイマー設定を受け付ける
ことを特徴とするリモコン装置。
【請求項２】
前記時間指定領域には、互いに異なる時間が割り当てられた複数の時間ボタンが配置されており、前記複数の時間ボタンのそれぞれには、割り当てられた時間が識別可能に表示されている
ことを特徴とする請求項１記載のリモコン装置。
【請求項３】
前記時刻指定領域には、時刻を変更する時刻変更ボタンが配置されており、
前記制御部は、前記設定画面を別画面に遷移させることなく前記時刻変更ボタンのタッチ操作に基づいて時刻指定の処理を終了する
ことを特徴とする請求項１または請求項２記載のリモコン装置。
【請求項４】
前記時刻指定領域には、時刻指定ボタンが配置されており、
前記制御部は、前記時刻指定ボタンがタッチされると、前記設定画面を、時刻を設定するための画面に遷移させ、遷移後の画面に配置された時刻変更ボタンのタッチ操作に基づいて時刻指定の処理を終了する
ことを特徴とする請求項１または請求項２記載のリモコン装置。
【請求項５】
前記制御部は、前記機器の運転を開始させる入タイマーと、前記機器の運転を停止させる切タイマーとを有し、前記入タイマーおよび前記切タイマーのうちの一方のタイマーの設定が終了した際に、他方のタイマーの設定を続けて行うかを確認する画面を前記表示部に表示させ、前記他方のタイマーの設定を続けて行うタッチ操作があると、前記他方のタイマーの設定を行うための前記設定画面を前記表示部に表示させる
ことを特徴とする請求項１〜請求項４のいずれか一項に記載のリモコン装置。
【請求項６】
前記機器は空気調和機である
ことを特徴とする請求項１〜請求項５のいずれか一項に記載のリモコン装置。
【発明の詳細な説明】
【技術分野】
【０００１】
本発明は、リモコン装置に関する。
【背景技術】
【０００２】
従来より、操作対象の機器を制御するリモコン装置には、タイマーを設定するためのボタンが複数配置されている。タイマーには、現在からの時間を指定する時間指定と、時刻を指定する時刻指定とがある。特許文献１では、時間指定を行うボタンと時刻指定を行うボタンとが離れた位置に配置されている。
【先行技術文献】
【特許文献】
【０００３】
【特許文献１】特許第４４４６８９６号公報（図３、［００３５］〜［００３８］、［００４３］）
【発明の概要】
【発明が解決しようとする課題】
【０００４】
従来技術では、時間指定を行うボタンと時刻指定を行うボタンとが離れた位置に配置されているため、ユーザーの使い勝手が悪かった。
【０００５】
本発明は、上記のような課題を解決するためになされたもので、タイマー設定時の使い勝手を向上することが可能なリモコン装置を提供することを目的とする。
【課題を解決するための手段】
【０００６】
本発明に係るリモコン装置は、表示部と、表示部に重ねて配置されたタッチパネルと、操作対象の機器のタイマー制御を行う制御部とを備え、制御部は、現在からの時間を指定してタイマー設定を行う時間指定領域と、時刻を指定してタイマー設定を行う時刻指定領域とを有する設定画面を表示部に表示させ、設定画面から、時間指定および時刻指定の両方の指定方法でのタイマー設定を受け付けるものである。
【発明の効果】
【０００７】
本発明によれば、時間指定および時刻指定のどちらでタイマー設定を行う場合でも、同じ画面で設定でき、使い勝手が向上する。
【図面の簡単な説明】
【０００８】
【図１】本発明の実施の形態１に係るリモコン装置の制御ブロック図である。
【図２】本発明の実施の形態１に係るリモコン装置の表示部の表示画面を示す図である。
【図３】本発明の実施の形態１に係るリモコン装置におけるボタン操作に基づく表示画面の遷移を示す図である。
【図４】本発明の実施の形態１に係るリモコン装置におけるカスタムボタン設定時の画面の遷移を示す図である。
【図５】図４のカスタムボタン設定後の画面例を示す図（その１）である。
【図６】図４のカスタムボタン設定後の画面例を示す図（その２）である。
【図７】本発明の実施の形態１に係るリモコン装置の変形例を示すブロック図である。
【図８】図７の変形例における２つの画面例をまとめて示した図である。
【図９】本発明の実施の形態２に係るリモコン装置の制御ブロック図である。
【図１０】本発明の実施の形態２に係るリモコン装置の外観図である。
【図１１】本発明の実施の形態２に係るリモコン装置におけるかんたんモード時の画面例を示す図である。
【図１２】本発明の実施の形態２に係るリモコン装置におけるかんたんモード時に異常が発生した場合の画面例を３例まとめて示す図である。
【図１３】本発明の実施の形態２に係るリモコン装置における通常モードからかんたんモードへの表示モードの切替え設定画面を示す図である。
【図１４】本発明の実施の形態２に係るリモコン装置におけるかんたんモードから通常モードへの表示モードの切替え設定画面を示す図である。
【図１５】本発明の実施の形態２に係るリモコン装置におけるかんたんモードから通常モードへの切替え時における画面遷移の変形例を示す図である。
【図１６】本発明の実施の形態３に係るリモコン装置におけるタイマー設定時の画面の遷移を示す図である。
【図１７】図１６のタイマー設定時における設定画面を示す図である。
【図１８】本発明の実施の形態３のリモコン装置のタイマー設定時における設定画面の変形例を示す図である。
【図１９】本発明の実施の形態３に係るリモコン装置におけるタイマー設定終了時のポップアップ表示の変形例を示す図である。
【発明を実施するための形態】
【０００９】
以下、本発明に係るリモコン装置を空気調和装置のリモコン装置に適用した場合について説明する。
【００１０】
実施の形態１．
図１は、本発明の実施の形態１に係るリモコン装置の制御ブロック図である。図１および後述の図において、同一の符号を付したものは、同一のまたはこれに相当するものであり、これは明細書の全文において共通している。さらに、明細書全文に表れている構成要素の形態は、あくまで例示であってこれらの記載に限定されるものではない。
リモコン装置１は、空気調和機本体２と通信して制御指令および空気調和機本体２の運転情報等を送受信するものである。リモコン装置１は、空気調和機本体２へ運転情報等を変更する信号を送信する送信部１２と、空気調和機本体２の設定状態等を表示する表示部１３と、表示部１３を明るくするバックライト１４とを備えている。リモコン装置１はさらに、表示部１３の表示領域と重なるように表示部１３の表面または裏面に設置され、検知領域に対する操作を受け付け、その検知座標を出力するタッチパネル１５と、制御部１１とを備えている。
【００１１】
制御部１１は、タッチ座標取得手段１６と、表示内容管理手段１７と、制御内容管理手段１８とを備えている。制御部１１は例えばマイクロコンピュータで構成され、ＣＰＵ、ＲＡＭおよびＲＯＭ等を備えており、ＲＯＭには制御プログラムが記憶されている。そして、ＣＰＵと制御プログラムとにより、タッチ座標取得手段１６と、表示内容管理手段１７と、制御内容管理手段１８とが機能的に構成されている。
【００１２】
タッチ座標取得手段１６は、タッチパネル１５のタッチされた座標を取得する。表示内容管理手段１７は、表示部１３に表示する画像、その表示位置（座標）、画像の種類（単純な画像としての表示なのか、ボタンなのか等）を管理する。制御内容管理手段１８は、タッチ座標取得手段１６で取得した座標と表示内容管理手段１７の情報とに基づいて、ユーザーがタッチした領域にある画像の種類を識別し、その画像の種類に対応した処理を指示する信号を送信部１２を用いて空気調和機本体２へ送信させたり、表示部１３の表示内容の更新を表示内容管理手段１７へ依頼したりする。
【００１３】
図２は、本発明の実施の形態１に係るリモコン装置の表示部の表示画面を示す図である。
画面１００は空気調和機本体２が停止している場合の画面であり、画面１００には現在時刻と、空気調和機本体２の運転状態（運転モード：冷房、停止中）とが表示されている。画面１００にはさらに、運転ボタン２００と、メニューボタン２０２と、カスタムボタン２０１とが表示されている。
【００１４】
運転ボタン２００は、空気調和機本体２の動作を開始または停止させるボタンである。図２では、空気調和機本体２が停止中のため、画面１００の運転ボタン２００には「運転」と表示されている。メニューボタン２０２は、空気調和機本体２やリモコン装置１の各種機能の設定または設定変更をするためのメニュー画面に画面を遷移させるボタンである。カスタムボタン２０１は、空気調和機本体２が有する複数の機能の中から、ユーザーが所望の機能を選択して割り当てることが可能なボタンである。
【００１５】
画面１０１は空気調和機本体２が動作している場合に表示部１３に表示される画面であり、画面１０１には現在時刻と、空気調和機本体２の状態（運転モード：冷房、設定温度：２６℃、湿度６０％）とが表示されている。また、画面１０１には、画面１００と同様のボタン２００〜ボタン２０２（運転ボタン２００は空気調和機本体２が運転中のため、画面１０１では停止と表示）が表示されている。さらに、画面１０１には、運転モードボタン２０３と、温湿度ボタン２０４とが表示されている。運転モードボタン２０３は、現在の運転モードの表示を行うとともに、運転モードの設定変更を行うための運転モード変更画面に画面を遷移させるボタンである。温湿度ボタン２０４は、設定温度や設定湿度の表示を行うとともに、設定温度または設定湿度の設定変更を行うための温湿度画面に画面を遷移させるボタンである。
【００１６】
動作について、図１および図２を用いて説明する。図２において、空気調和機本体２が停止している場合、表示部１３には画面１００が表示されている。ユーザーが空気調和機本体２を運転させたい場合、ユーザーは表示部１３上の運転ボタン２００をタッチする。ここで、タッチパネル１５は少なくとも表示部１３の領域のうち、ボタンが配置される領域を覆う範囲のタッチ情報を取得できるように表示部１３の表面または裏面に設置されており、ユーザーのタッチ操作を検知可能となっている。
【００１７】
タッチパネル１５によってユーザーのタッチが検知されると、タッチ座標取得手段１６は、ユーザーがタッチした座標情報を取得する。表示内容管理手段１７は、タッチ座標取得手段１６が取得した座標情報を用いて、タッチされた領域にある画像の種類を識別する。今回の例では、運転ボタン２００がタッチされたことが分かる。
【００１８】
続いて、制御内容管理手段１８は、表示内容管理手段１７で識別された画像の種類情報を用いて、続きの動作を決定する。すなわち、制御内容管理手段１８は、表示内容管理手段１７で識別された画像の種類情報に加えて、現在の運転状態（冷房で停止中等）の情報も加味し、次の動作を決定する。
【００１９】
今回の例では、空気調和機本体２が冷房で停止中という条件で運転ボタン２００がタッチされたので、制御内容管理手段１８は、空気調和機本体２が冷房で動作中であることを示す表示（画面１０１）を表示内容管理手段１７に依頼する。また、制御内容管理手段１８は、空気調和機本体２を冷房で動作させる信号を空気調和機本体２へ向けて送信するように送信部１２に依頼する。表示内容管理手段１７は、制御内容管理手段１８からの依頼にしたがって画面１０１を表示部１３に表示し、送信部１２は、制御内容管理手段１８からの依頼にしたがって空気調和機本体２を冷房で動作させる信号を空気調和機本体２へ向けて送信する。
【００２０】
また、空気調和機本体２が動作中で表示部１３には画面１０１が表示されている際にユーザーが空気調和機本体２を停止させる場合、ユーザーは表示部１３上の運転ボタン２００をタッチする。リモコン装置１は、運転ボタン２００がタッチされると、停止中に運転ボタン２００がタッチされた場合と同様の動作を実施する。すなわち、タッチ座標取得手段１６はタッチされた座標を取得し、表示内容管理手段１７は画像の種類を識別し、制御内容管理手段１８は動作を決める。
【００２１】
今回の例では、空気調和機本体２が動作中という条件で運転ボタン２００がタッチされたので、制御内容管理手段１８は、空気調和機本体２が冷房で停止中であることを示す表示（画面１００）を表示内容管理手段１７に依頼する一方、空気調和機本体２の冷房を停止させる信号を空気調和機本体２へ向けて送信するように送信部１２へ依頼する。表示内容管理手段１７は、制御内容管理手段１８からの依頼にしたがって画面１００を表示部１３に表示し、送信部１２は、制御内容管理手段１８からの依頼にしたがって空気調和機本体２の冷房を停止させる信号を空気調和機本体２へ向けて送信する。
【００２２】
続いて、運転モードボタン２０３、温湿度ボタン２０４およびメニューボタン２０２がタッチされた際の動作について、図３の表示画面を用いて説明する。
【００２３】
図３は、本発明の実施の形態１に係るリモコン装置におけるボタン操作に基づく表示画面の遷移を示す図である。
画面１０１において、運転モードを変更する場合、ユーザーは運転モードボタン２０３をタッチする。運転モードボタン２０３がタッチされると、制御部１１は表示部１３の表示画面を画面１０２へ遷移させる。画面１０２では、変更可能な運転モードが一覧表示されており、ユーザーによっていずれかの運転モードがタッチされると、制御部１１はタッチされた運転モードに変更する。
【００２４】
また、画面１０１において、温湿度を変更する場合、ユーザーは温湿度ボタン２０４をタッチする。温湿度ボタン２０４がタッチされると、制御部１１は、現在の設定温度、設定湿度が表示されている画面１０３へ遷移させる。画面１０３では、設定温度、設定湿度それぞれに上下ボタンが表示されており、上下ボタンをタッチすることで設定温度、設定湿度を変更できる。画面１０３では、設定温度、設定湿度が同時に表示されているが、同時に表示されていなくてもよく、設定温度のみが表示されている画面を表示して、温度が設定された後、湿度を設定させる画面に遷移するようにしても良い。当然、湿度⇒温度の順でも良い。また、温湿度ボタン２０４を２つに分けて別々の設定画面へ遷移するようにしても良い。
【００２５】
なお、暖房では湿度調整が不要である場合が多いため、運転モードが暖房である場合には、画面１０１での温湿度ボタン２０４の表示および画面１０３の表示を温度表示だけにしても良い。また、除湿では温度調節が不要であるので、運転モードが除湿である場合には、画面１０１での温湿度ボタン２０４の表示および画面１０３の表示を湿度表示だけにしても良い。さらに、運転モードが送風である場合には、温度も湿度も調節できないため、画面１０１での温湿度ボタン２０４を無効または表示しないようにしても良い。
【００２６】
続いて、メニューボタン２０２がタッチされた場合の動作を説明する。メニューボタン２０２がタッチされると、制御部１１は、表示部１３の表示画面を画面１０４（メニュー画面）へ遷移させる。画面１０４にはリモコン装置１で設定および操作が可能な機能に対応した機能ボタンが一覧表示されている。機能ボタンには、その機能を識別可能な画像が表示されている。
【００２７】
なお、表示部１３が十分大きければ、画面１０４一画面に全ての機能に対応した機能ボタンを表示できるが、機能数が多い場合および表示部１３が十分な大きさを有していない場合には全ての機能ボタンを一画面で表示できない。この場合は、最初の一画面で表示しきれない他の機能ボタンを別の画面を分け、切替えボタン（画面１０４の「次へ」ボタン２０５ａ）で、順次、画面を切替えて表示する。
【００２８】
近年、空気調和機は様々なセンサーを具備するようになり、益々多機能化が進んでおり、機能数は増加の一途を辿っている。また、一般家庭に設置される空気調和機のリモコン装置は手に持って操作することを想定しているため、十分な大きさの表示部１３を持つことが難しい。このため、全ての機能ボタンを一画面で表示することが難しくなってきており、上述したように、複数の機能を複数の画面に分け、切替えて表示する必要性が増している。
【００２９】
図３は複数の機能を複数の画面に分け、切替えて表示する場合を示しており、画面１０４で「次へ」ボタン２０５ａをタッチすると、制御部１１は、表示部１３の表示画面を画面１０５へ遷移させる。なお、画面１０５で「前へ」ボタン２０５ｂをタッチすると画面１０４へ戻ることができる。また、画面１０５で「次へ」ボタン２０５ａをタッチすると、制御部１１は、表示部１３の表示画面を画面１０７（図４参照）へ遷移させる。画面１０４、画面１０５および画面１０７は本発明のメニュー画面に相当する。
【００３０】
ユーザーは画面１０１に表示されていない機能については、メニュー画面（画面１０４、画面１０５、画面１０７）に示された機能一覧から選択することとなる。例えば、除菌脱臭機能を設定したい場合、ユーザーは画面１０１でメニューボタン２０２をタッチして画面１０４を表示させ、画面１０４から除菌脱臭機能を探す。画面１０４には除菌脱臭機能が無いため、さらに「次へ」ボタン２０５ａをタッチして画面１０５を表示させる。ここで、除菌脱臭機能は画面１０５にあるため、除菌ボタン２０５をタッチする。なお、画面１０５にも目的の機能が無い場合には、さらに「次へ」ボタン２０５ａをタッチして画面１０７（図４参照）を表示させて目的の機能を探すことになる。
【００３１】
そして、除菌ボタン２０５がタッチされると、制御部１１は、表示部１３の表示画面を画面１０５から画面１０６へ遷移させ、ここで入ボタン２０７がタッチされると、除菌脱臭機能を作動させる。一方、画面１０６で切ボタン２０６がタッチされた場合は、制御部１１は除菌脱臭機能を停止させる。なお、ここでは、表示部１３の表示画面を画面１０５から画面１０６へ遷移させて除菌脱臭機能の入または切を設定するようにしたが、除菌脱臭機能の入または切の設定に係る制御は、上記の制御方法に限られたものではない。他に例えば、画面１０５から画面１０６への遷移を無くし、画面１０５上のボタン押下で直接、入または切を設定させる制御方法としてもよい。この点は、除菌脱臭機能に限らず、メニュー画面上の他の機能についても同様である。
【００３２】
上記の動作を行うことで所望の機能を作動させることができるが、通常、このようにメニューから所望の機能を指定する操作を行うのは手間がかかる。このため、良く使用する機能をこのように毎回、指定するのは煩わしい。
【００３３】
そこで、本実施の形態１ではカスタムボタン２０１を用いることで、手間の軽減を図っている。ここで、カスタムボタン２０１は、通常運転中（運転開始直後も含む）の画面１００と、通常停止中（運転停止直後も含む）の画面１０１とのそれぞれに表示されている。以下、通常運転中および通常停止中のトップ画面として表示される画面１００、１０１をまとめてメイン画面という。このようにメイン画面に表示されるカスタムボタン２０１に、良く使用する機能を割り当て、その機能に関する設定（例えば、作動開始または作動停止）を簡単に指定できるようにする。以下、次の図４を用いて、所望の機能をカスタムボタン２０１に割り当てる方法について説明する。
【００３４】
図４は、本発明の実施の形態１に係るリモコン装置におけるカスタムボタン設定時の画面の遷移を示す図である。図５および図６は、図４のカスタムボタン設定後の画面例を示す図である。ここでは、カスタムボタン２０１に除菌脱臭機能を割り当てる場合を例に説明する。
画面１０７で設定ボタン２０８がタッチされると、制御部１１は表示部１３の表示画面を画面１０８に遷移させる。表示部１３が十分大きければ、画面１０８一画面に全ての設定操作項目が表示されるが、設定操作項目数が多い場合および表示部１３が十分な大きさを有していない場合には全ての設定操作項目を一画面で表示できない。この場合は、最初の一画面で表示しきれない他の設定操作項目を別の画面に分け、切替えボタン（画面１０８の「次へ」ボタン２０５ａ）で、順次、画面を切替えて表示する。
【００３５】
図４は複数の設定操作項目を複数の画面に分けて表示する場合を示しており、画面１０８で「次へ」ボタン２０５ａがタッチされると、制御部１１は表示部１３の表示画面を画面１０９へ遷移させる。画面１０９でカスタムボタン設定ボタン２０９がタッチされると、制御部１１は表示部１３の表示画面を画面１１０へ遷移させる。画面１１０には、カスタムボタンに関する説明文と、次の画面へ進むための、「すすむ」ボタン２１０とが表示されている。
【００３６】
そして、「すすむ」ボタン２１０がタッチされると、制御部１１は、カスタムボタン２０１に割り当てることが可能な機能一覧を示した画面１１１を表示部１３に表示させる。カスタムボタン２０１へ設定できる機能一覧を示した機能一覧画面は、ここでは画面１１１〜画面１１３の３画面構成となっている。ここで、カスタムボタン２０１（図２参照）へ割り当てる機能（ここでは、除菌脱臭機能）に対応する、画面１１２の除菌ボタン２１１がタッチされると、制御部１１は、除菌脱臭機能をカスタムボタン２０１へ割り当てる。この設定が完了すると、制御部１１は、画面１０１（図２参照）において風あて機能が割り当てられていたカスタムボタン２０１を、除菌脱臭機能が割り当てられたカスタムボタン２１２（図５）に変更する。この際、制御部１１は、カスタムボタン２１２に新たに割り当てられた機能をユーザーが識別できるように、風あて機能の画像を、除菌脱臭機能を示す画像に変更する。
【００３７】
以上のように、メイン画面のカスタムボタン２０１（図２参照）に所望の機能（ここでは、除菌脱臭機能）を割り当てた後、除菌脱臭機能が割り当てられたカスタムボタン２１２（図５）がタッチされた場合、制御部１１は、表示部１３の表示画面を、除菌脱臭機能の作動開始または作動停止を設定する画面１０６（図３参照）に直接遷移させる。
【００３８】
ところで、画面１０７の設定ボタン２０８がタッチされた際に表示される画面１０８および画面１０９には、設定することが稀な設定操作項目をまとめてある。稀な設定操作項目とは、例えば、購入時（空気調和機設置時）に一度、設定操作をすれば良い項目である。カスタムボタン２０１に機能を割り当てる操作も、基本的には頻繁に行われる操作ではないため、「カスタムボタン設定」も、設定ボタン２０８をタッチして遷移した画面に表示するようにしている。
【００３９】
ここで、機能一覧画面である画面１１１〜画面１１３について説明する。機能一覧画面（画面１１１〜画面１１３）は、メニューボタン２０２をタッチした後のメニュー画面（画面１０４、画面１０５、画面１０７）と全く同じ構成となっている。つまり、カスタムボタン２０１へ割り当てることができる機能は、画面１０４、画面１０５および画面１０７に配置されている機能となる。このように、機能選択の際に用いる画面を、メニューボタン２０２からの機能選択時とカスタムボタン割り当て時とで同じとしている。
【００４０】
なお、画面１０８および画面１０９に示した稀な設定操作項目も、いわば空気調和機が有する機能の一つであるが、これらの稀な設定操作項目については、カスタムボタン２０１に割り当てる機能一覧画面から外すようにした。つまり、カスタムボタン２０１に割り当てることが可能な機能を、空気調和機が有する複数の機能の中から一部の機能に絞るようにした。このため、ユーザーがカスタムボタン２０１に割り当てる機能選択時の負荷を低減することが可能となる。
【００４１】
また、カスタムボタン２０１の画像を、メニューボタン２０２をタッチした後のメニュー画面（画面１０４、画面１０５、画面１０７）の機能ボタンの画像と同じにしている。これにより、カスタムボタン２０１（２１２）に割り当てた機能が、どのような機能であったかを簡単に想起させることが可能となる。
【００４２】
また、メニュー画面（画面１０４、画面１０５、画面１０７）では、機能ボタンの画像を、その機能の設定状態に応じて変化させるようにしている。具体的には、現在設定中（作動中）の機能（ここでは、風あて機能）ボタンにはレ点表示がされ、現在の作動状態を確認できるようになっている。また、画面１０５においては、現在設定できない機能（ここでは、冷房モード中には設定できない速暖房機能および足暖機能）ボタンを、選択不可であることを示す操作不可画像（具体的には、例えば灰色表示（グレーアウト表示））としている。このように、機能ボタンの画像を、その機能の設定状態に応じて変化させることで、作動状態の確認と操作不可状態の機能の確認とが容易にできるようになり、リモコン装置１の使い勝手の向上が図られている。
【００４３】
また、メイン画面上のカスタムボタンの画像についても、メニューボタン２０２がタッチされた後のメニュー画面（画面１０４、画面１０５、画面１０７）の機能ボタンの画像と同じように、カスタムボタン２０１に割り当てられた機能が設定済であればレ点表示（画面１１４のカスタムボタン２１２）され、操作できない機能であれば操作不可画像（画面１１５のカスタムボタン２１３）される。これにより、ユーザーはメイン画面上のカスタムボタンを一瞥することで、作動状態の確認と操作不可状態の機能の確認とが容易にできるようになり、リモコン装置１の使い勝手が向上する。
【００４４】
また、制御部１１は、カスタムボタン２０１の画像と、メニューボタン２０２がタッチされた後のメニュー画面（画面１０４、画面１０５、画面１０７）における画像とを互いに連動させている。具体的には、例えば、暖房運転中でカスタムボタン２０１に速暖房機能が割り当てられている状態において、暖房運転から冷房運転に切替えられた場合、制御部１１はメニュー画面（画面１０５）における速暖房機能の画像を選択可能な画像から、選択不可であることを示す操作不可画像に変更するとともに、カスタムボタン２０１も同様の画像に変更する。これにより、メイン画面およびメニュー画面のどちらからでも、現在の設定状況を確認できる。
【００４５】
以上説明したように、本実施の形態１では、メイン画面に空気調和機本体２の運転状態（運転中または運転停止中、運転モード）とともにカスタムボタン２０１を表示するようにした。これにより、ユーザーは、空気調和機本体２の運転状態等を見ながらカスタムボタン２０１の操作が可能となるため、状況に合わせた機能の作動が可能となり、使い勝手が向上する。
【００４６】
なお、カスタムボタン２０１の表示位置は画面上のどこでも同じ効果が得られるが、自由に表示位置が変えられると、ユーザーは操作に迷ってしまうため固定位置であることが望ましい。よって、本実施の形態１では、メイン画面（画面１００、画面１０１）において同じ位置（この例では最下段の真ん中）としている。また、カスタムボタン２０１の大きさについても同様に、例えば画面１００と画面１０１とでカスタムボタン２０１の大きさが異なるとユーザーは操作に迷ってしまうため同じ大きさとすることが望ましい。よって、本実施の形態１では、メイン画面（画面１００、画面１０１）において、カスタムボタン２０１の大きさを同じとしている。これにより、カスタムボタン２０１を操作するにあたり、ユーザーは迷わずカスタムボタン２０１を見つけて操作することができ、操作性を向上することができる。
【００４７】
図７は、本発明の実施の形態１に係るリモコン装置の変形例を示すブロック図である。図８は、図７の変形例における２つの画面例をまとめて示した図である。
図７において、リモコン装置１は図１に示した構成に加えてさらにハードボタン１９を備えている。ハードボタン１９には、空気調和機本体２の運転および停止を操作する機能を割り当てる。このハードボタン１９を用いると、画面１００および画面１０１に配置した運転ボタン２００は不要となる。そのため、運転ボタン２００が配置されていた画面上の領域部分に、２つ目のカスタムボタンを配置することが可能となる。これにより、例えば図８（ａ）の画面１１６のようにカスタムボタン２１４ａとカスタムボタン２１４ｂとを配置することが可能となる。
【００４８】
このようにすることにより、メイン画面に２つの機能のカスタムボタン（図８ではタイマーと風あて）が配置可能となり、ユーザーの使い勝手がより向上することとなる。なお、カスタムボタンが２つとなった場合、図４のカスタムボタン設定の画面１１０で「すすむ」ボタン２１０がタッチされた際に、制御部１１は表示部１３の表示画面を直接画面１１１へ遷移させずに、図８（ｂ）の画面１１７のようにどちらのボタンを変更するかを選択させる画面を表示させる必要がある。
【００４９】
実施の形態２．
実施の形態１では、表示モードが通常モード（第１モード）の場合について説明したが、実施の形態２では、表示モードとして、さらにかんたんモード（第２モード）を有している。通常モードとかんたんモードとの違いは、画面遷移をどの程度許可するかの違いである。通常モードは画面遷移を許可するモードであり、例えばメニューボタン２０２（図３参照）が押下されると、画面１０１から画面１０４に遷移する。これに対し、かんたんモードでは、このような画面遷移を一部許可せずに制限したモード（運転入切、特殊操作、異常状態のみ画面遷移を許可し、それ以外の画面遷移を許可しない）である。そして、実施の形態２では、かんたんモードにおける異常時の表示動作と、かんたんモードから通常モードへの切替え動作とを特徴としており、これらの動作について以下に順次、詳述する。
【００５０】
図９は、本発明の実施の形態２に係るリモコン装置の制御ブロック図である。
実施の形態２のリモコン装置１の制御部１１は、図１に示した実施の形態１のリモコン装置１の送信部１２に代えて送受信部１２ａを備えるとともに、さらに、表示部１３へ表示する表示モードを管理する表示モード管理手段２０を備えている。以下、実施の形態２が実施の形態１と異なる部分を中心に説明する。また、上記実施の形態１において適用される変形例は、本実施の形態２の同様の構成部分についても同様に適用される。
【００５１】
図１０は、本発明の実施の形態２に係るリモコン装置の外観図である。
図１０において、運転ボタン１９ａは、空気調和機本体２の運転および停止を制御する（反転させる）運転ボタンである。また、画面点灯ボタン１９ｂは、表示部１３等が消灯している状態で押下することで表示部１３およびバックライト１４を点灯させ、タッチパネル１５の機能を起動するボタンである。リモコン装置１を電池駆動とした場合、電気寿命を延ばすことが求められるため、リモコン装置１の未使用時は、画面点灯ボタン１９ｂを用いて表示部１３およびバックライト１４の消灯、場合によってはタッチパネル１５の停止が行われる。なお、表示部１３およびバックライト１４を点灯後、タッチ操作が行われずに一定時間経過した場合には、表示部１３およびバックライト１４が消灯するとともに、タッチパネル１５の機能が停止するようになっている。運転ボタン１９ａおよび画面点灯ボタン１９ｂはハードボタンで構成されている。
【００５２】
図１１は、本発明の実施の形態２に係るリモコン装置におけるかんたんモード時の画面例を示す図である。
画面１１８は、表示モードが、かんたんモードに設定された場合のかんたんモード表示の画面を示している。かんたんモード表示の画面１１８は、実施の形態１の図２〜図６のような通常モード表示とは異なり、時刻表示等を表示するタイトル部分および運転モードボタン２０３が無い。また、画面１１８には温湿度ボタン２０４も無く、代わりに温度表示２１５と、設定温度を上げる上ボタン２１６と、設定温度を下げる下ボタン２１７とが配置されている。さらに、画面１１８には、カスタムボタン２０１およびメニューボタン２０２も無く、代わりに冷房ボタン２１８と、１時間切タイマーボタン２１９と、暖房ボタン２２０とが配置されている。画面１１８と後述の画面１１９とはかんたんモードにおけるメイン画面に相当する。
【００５３】
続いてかんたんモードについて図１０、図１１を用いて説明する。
かんたんモードに設定されている場合、空気調和機本体２の停止中には画面１１９が表示部１３に表示される。そして、ユーザーにより運転ボタン１９ａが押下されると、制御部１１は、運転開始の信号を送信部１２から空気調和機本体２へ送信して空気調和機本体２を動作させ、表示部１３に画面１１８を表示させる。一方、空気調和機本体２が動作している場合に運転ボタン１９ａが押下されると、制御部１１は、停止信号を送信部１２から空気調和機本体２へ送信して空気調和機本体２の動作を停止させ、表示部１３に画面１１９を表示させる。
【００５４】
画面１１８上では、運転モードの選択は、冷房、暖房の２つのモードに制限されている。運転モードを選択する場合は、冷房ボタン２１８か暖房ボタン２２０をタッチすることで実施する。制御部１１は、タッチされたボタンを白黒反転させて設定状況を示すとともに、タッチされたボタンの運転モードを実施する。また、かんたんモードでは通常モードと同様に温度変更が可能であり、画面１１８上に配置された上ボタン２１６または下ボタン２１７がタッチされると、制御部１１は設定温度を上下させる。さらに、制御部１１は、１時間切タイマーボタン２１９がタッチされると、１時間切タイマーを動作させるとともに、画面１１８上の１時間切タイマーの表示を白黒反転させ、設定状況を示す。
【００５５】
このようにすることで、かんたんモードにおける空気調和機本体２運転中のメイン画面である画面１１８上での操作では、メニューボタン２０２（図２参照）がタッチされた場合のような画面遷移を無くすことができる。よって、複雑な操作を省くことが可能となるため、家電機器の操作が苦手なユーザーでも簡単に操作することが可能となる。
【００５６】
また、画面１１８に１時間切タイマーボタン２１９を配置したが、かんたんモードの画面１１８に配置するボタンはこのボタンでなくても良く、画面遷移を伴わなければ、どのようなボタンでも良い。例えば、除湿への運転モード変更（この場合は温度表示でなく湿度表示となる）を行うボタンでも良いし、一時的に風速を上げるようなボタンでも良い。また、画面１１８のボタン２１８〜ボタン２２０のそれぞれの機能を、通常モード設定中にユーザーが任意に変更できるようにしても良い。
【００５７】
また、本実施の形態２のリモコン装置１では、制御部１１が、リモコン装置１または空気調和機本体２が状態異常となった場合（エラーが発生した場合）、例えばポップアップ表示等によって現在の表示画面に重ねて異常通知画面１３２を表示させるようにしており、この点について以下に説明する。
【００５８】
図１２は、本発明の実施の形態２に係るリモコン装置におけるかんたんモード時に異常が発生した場合の画面例を３例まとめて示す図である。
図１２（ａ）は、リモコン装置１が状態異常となった場合の異常通知画面例を示しており、具体的には、停止中の画面点灯時に画面点灯ボタン１９ｂを押下した場合の異常通知画面１３２を示している。図１２（ｂ）および図１２（ｃ）は、空気調和機本体２が状態異常となった場合の異常通知画面例を示している。具体的には、図１２（ｂ）はフィルターお掃除メカの異常、図１２（ｃ）は本体故障の場合の異常通知画面１３２を示している。なお、制御部１１は、空気調和機本体２で異常が発生した際に空気調和機本体２から送信される異常通知信号を送受信部１２ａで受信するようになっており、受信した異常通知信号に基づいて上記の図１２（ｂ）および図１２（ｃ）の異常通知画面１３２の表示を行う。
【００５９】
このようにリモコン装置１の表示部１３に異常通知画面１３２が表示されることで、ユーザーは異常を知ることが可能となる。なお、図１２に示した異常通知画面１３２は一例であって、図１２の異常通知画面１３２に限られたものではない。
【００６０】
続いて、通常モードからかんたんモードへの表示切替方法について説明する。表示モードの切替えは、上述の稀な設定操作項目にあたるため、表示モードの切替えの設定画面は、実施の形態１の図４の画面１０７に示した設定ボタン２０８がタッチされた際に遷移する画面１０８または画面１０９に配置される。ここでは、画面１０９（図４、次の図１３）に配置されている。
【００６１】
図１３は、本発明の実施の形態２に係るリモコン装置における通常モードからかんたんモードへの表示モードの切替え設定画面を示す図である。
画面１０９において表示モードボタン２２１がタッチされると、制御部１１は表示部１３の表示画面を画面１２０に遷移させる。画面１２０には、表示モードを通常モードからかんたんモードに切替えるかんたんモードボタン２２２が配置されている。このかんたんモードボタン２２２がタッチされると、制御部１１の表示モード管理手段２０は表示部１３の表示を、図３の通常モード表示から図１１のかんたんモード表示へ切替える。
【００６２】
次に、かんたんモードから通常モードへの表示切替方法について説明する。かんたんモードの表示は、図１１の画面１１８に示したように余分な機能の表示を削除している。よって、この画面１１８上の単純なボタン操作では、かんたんモードから通常モードへの表示切替を実施できない。また、かんたんモードは家電機器の操作が苦手なユーザーが使用する表示モードであるため、簡単にかんたんモードから通常モードへ戻ってしまうと家電機器の操作が苦手なユーザーが混乱し、操作性が落ちる。そのため、家電機器の操作が苦手なユーザーでも一般的に行う可能性のある、電池交換またはリセット動作を行っただけで簡単に表示モードがかんたんモードから通常モードに戻ってしまっては、家電機器の操作が苦手なユーザーには迷惑であり実施すべきでない。
【００６３】
そこで、本実施の形態２では、かんたんモードから通常モードへの切替えに画面点灯ボタン１９ｂを用いる。なお、画面点灯ボタン１９ｂは、通常は上述したように画面が消灯している状態で押下されると、バックライト１４を点灯させ、また、バックライト１４の点灯中に押下されると、状態異常と判断し、表示部１３にエラーをポップアップ表示させるボタンである。このように画面点灯ボタン１９ｂには動作が割り当てられているが、仮に、画面点灯ボタン１９ｂに割り当てる動作を、エラーをポップアップ表示させる動作に代えて、表示モードを変更する動作にした場合、画面点灯ボタン１９ｂを単に押下しただけで簡単に表示モードを通常モードに変更できてしまう。このため、やはり画面点灯ボタン１９ｂの単純な押下で表示モードの切替えを可能にすることは、家電機器の操作が苦手なユーザーには迷惑であり実施すべきでない。
【００６４】
そこで、本実施の形態２では、画面点灯ボタン１９ｂを例えば２〜３秒程度、長押しすることで、表示モードを通常モードに切替えるための設定画面を表示するようにする。なお、設定画面を表示させる操作は、画面点灯ボタン１９ｂの長押し操作に限られたものではなく、少なくとも家電機器の操作が苦手なユーザーが一般的に行う通常操作とは異なる特殊操作であれば良い。特殊操作としては例えば、ハードボタンの２つ同時押し、タッチパネル１５とハードボタンとの同時押しまたは同時押しの長押し等がある。
【００６５】
図１４は、本発明の実施の形態２に係るリモコン装置におけるかんたんモードから通常モードへの表示モードの切替え設定画面を示す図である。
図１４に示すように、かんたんモード表示の画面１１８の表示中に画面点灯ボタン１９ｂ（図１０参照）が長押しされると、制御部１１は特殊操作画面である画面１２１を表示部１３に表示させる。画面１２１上で表示モード変更ボタン２２３がタッチされると、制御部１１は表示部１３に表示モードの切替え設定画面である画面１２２を表示させる。そして、制御部１１は、画面１２２上で通常モードボタン２２４がタッチされると、表示モードを通常モードに戻し、通常モード表示の画面（図３参照）を表示部１３に表示させる。ここで、画面点灯ボタン１９ｂを長押ししただけで、すぐに表示モードの変更および設定画面の表示をしないのは、家電機器の操作が苦手なユーザーを考慮してのことである。
【００６６】
以上説明したように、実施の形態２では、実施の形態１と同様の効果が得られるとともに、通常モード設定時はもちろんのこと、かんたんモード設定時でも、状態異常となった場合には異常通知画面１３２によってユーザーに異常を通知することが可能となる。
【００６７】
また、かんたんモードから通常モードへは、特殊操作が行われた場合に切替えるようにし、電池交換またはリセット動作といった簡単な操作では切替えられないようにした。具体的な構成としては、かんたんモードから通常モードへの切替えを可能とする特殊操作に、電池交換およびリセット動作の少なくとも一方を含まない構成とした。このため、家電機器の操作が苦手なユーザーに、かんたんモードの操作画面を安定して提供し続けることができ、操作性を確保できる。
【００６８】
なお、上記では、かんたんモード表示の画面１１８の表示中に画面点灯ボタン１９ｂが長押しされた場合、特殊操作画面を表示した後、かんたんモードから通常モードへの表示モードの切替えを行う切替え設定画面を表示するようにしていた。本発明はこのような画面遷移に限られたものではなく、以下の変形例のようにしてもよい。
【００６９】
空気調和機は基本的に風を出す機器であるため、風向、風速といった空気調和機における基本的な機能の設定を行えないのでは、空気調和機の機能を十分に発揮できないだけでなく、ユーザーに不快な思いをさせてしまう可能性がある。また、切タイマーも一般的に求められる機能であり、タイマー設定を行えないと、ユーザーの利便性の低下に繋がる可能性がある。よって、以下に詳述する変形例では、かんたんモードであっても、特殊操作が行われた場合には、表示モードの変更に加えてさらに、予め設定された基本的な機能（ここでは、風向、風速、切タイマー）については、設定変更を可能とした。
【００７０】
図１５は、本発明の実施の形態２に係るリモコン装置におけるかんたんモードから通常モードへの切替え時における画面遷移の変形例を示す図である。
図１５に示すように、かんたんモード表示の画面１１８を表示中に画面点灯ボタン１９ｂが長押しされると、制御部１１は特殊操作画面である画面１２３を表示部１３に表示する。画面１２３、画面１２１および画面１２４は、「次へ」ボタン２０５ａと「前へ」ボタン２０５ｂとで行き来可能となっている。
【００７１】
画面１２３は空気調和機本体２の風向、風速の設定変更を行う画面であり、画面１２３上のそれぞれのボタンがタッチされると、制御部１１は、表示部１３の表示画面を、タッチされたボタンに対応する設定画面へ遷移させる。画面１２３において例えば風速ボタン２２５がタッチされると、制御部１１は、表示部１３の表示画面を、風速の設定画面である画面１２５へ遷移させる。画面１２４は切タイマーを設定する設定画面であり、制御部１１は、画面１２４でいずれかのボタンがタッチされると、画面１１８の下段の１時間切タイマーの時間を変更する。
【００７２】
このようにすることで、かんたんモードでの簡単な操作性を保持しつつ、ユーザーごとの風向、風速の調整と、切タイマーの時刻の設定とがさらに可能となり、ユーザーの利便性が向上する。
【００７３】
実施の形態３．
実施の形態３は、タイマー設定時の操作性向上を図ったものである。
【００７４】
図１６は、本発明の実施の形態３に係るリモコン装置におけるタイマー設定時の画面の遷移を示す図である。図１７は、図１６のタイマー設定時における設定画面を示す図である。以下、実施の形態３が実施の形態１、２と異なる部分を中心に説明する。また、実施の形態１、２において適用される変形例は、本実施の形態３の同様の構成部分についても同様に適用される。
【００７５】
図１６において、画面１０７は上述したようにメニュー画面の一つであり、この画面１０７に表示される複数の機能ボタンの一つにタイマーボタン２２７が含まれている。このタイマーボタン２２７がタッチされると、制御部１１は表示部１３の表示画面を画面１２６へ遷移させる。画面１２６には、入タイマーボタン２２８と、切タイマーボタン２２９と、「前回と同じ予約」ボタン２３０と、予約解除ボタン２３１とが配置されている。
【００７６】
入タイマーボタン２２８は、指定時間後または指定時刻に運転を開始する入タイマーの設定を行うボタンである。切タイマーボタン２２９は、指定時間後または指定時刻に運転を停止する切タイマーの設定を行うボタンである。「前回と同じ予約」ボタン２３０は、前回と同じ予約を設定するためのボタンである。予約解除ボタン２３１は、タイマー予約を解除するためのボタンである。入タイマーボタン２２８または切タイマーボタン２２９がタッチされると、制御部１１は表示部１３の表示画面を、それぞれの設定画面へ遷移させる。
【００７７】
図１７の画面１２７は画面１２６で入タイマーボタン２２８がタッチされた場合の設定画面である。画面１２７は、現在から運転開始までの時間を指定するための時間指定領域２３２と、運転を開始する時刻を指定するための時刻指定領域２３３とを有している。実施の形態３では、この設定画面（画面１２７）から時間指定および時刻指定のどちらの指定方法でも、タイマー設定を可能としたことを特徴としている。
【００７８】
時間指定領域２３２には、互いに異なる時間が割り当てられた複数の時間ボタン２３２ａが配置されており、複数の時間ボタン２３２ａのそれぞれには、割り当てられた時間が識別可能に表示されている。また、時刻指定領域２３３には、設定時刻を表示する時刻表示設定ボタン２３３ａと、設定時刻を変更するための時刻上ボタン２３３ｂと、時刻下ボタン２３３ｃとが配置されている。
【００７９】
続いて、動作について説明する。ユーザーがタイマーを設定する場合、画面１０１（図３参照）のメニューボタン２０２をタッチし、続いて画面１０４および画面１０５で「次へ」ボタン２０５ａをタッチする。これにより、制御部１１は、表示部１３の表示画面を画面１０７（図１６参照）へ遷移させる。そして、ユーザーにより画面１０７上でタイマーボタン２２７がタッチされると、制御部１１は、表示部１３の表示画面を画面１２６へ遷移させる。なお、例えば画面１１６（図８（ａ）参照）のようにカスタムボタン２１４ｂにタイマーボタンを割り当てられていた場合は、ユーザーは、画面１１６でカスタムボタン２１４ｂがタッチするだけで画面１２６へ遷移させることができる。
【００８０】
画面１２６において、ユーザーはタイマーで空気調和機本体２の運転を開始させたいのか、停止させたいのか、それとも前回と同じ予約を行いたいのか、によってボタンを選択する。例えば、前回と同じ予約を再度設定したい場合には、ユーザーは「前回と同じ予約」ボタン２３０をタッチする。また、タイマーで空気調和機本体２を開始させたい場合には、ユーザーは入タイマーボタン２２８をタッチする。一方、タイマーで空気調和機本体２を停止させたい場合には、ユーザーは切タイマーボタン２２９をタッチする。なお、タイマーを解除する場合も画面１２６から操作でき、解除したい場合には予約解除ボタン２３１をタッチする。
【００８１】
制御部１１は入タイマーボタン２２８がタッチされたことを検知すると、表示部１３の表示画面を図１７の画面１２７へ遷移させる。ユーザーは画面１２７で、運転開始のタイミングを時間指定または時刻指定で設定する。すなわち、時間指定を行う場合、時間指定領域２３２の複数の時間ボタン２３２ａの中から希望の時間をタッチする。一方、時刻指定を行う場合、時刻上ボタン２３３ｂと時刻下ボタン２３３ｃとを適宜タッチして時刻表示設定ボタン２３３ａに表示されている運転開始時刻を変更する。そして、時刻表示設定ボタン２３３ａに表示されている運転開始時刻が希望の時刻となった場合、ユーザーは時刻表示設定ボタン２３３ａをタッチする。
【００８２】
制御部１１は、以上の時間指定領域２３２および時刻指定領域２３３におけるタッチを検知すると、タッチされたボタンに従ったタイマー予約の設定処理を終了するとともに、設定が終了した旨のポップアップ表示（図示せず）を表示部１３に表示させる。また、制御部１１は、切タイマーボタン２２９および予約解除ボタン２３１のタッチを検知した場合も同様に、そのタッチされたボタンに従った処理を実行する。
【００８３】
以上説明したように、本実施の形態３では、実施の形態１、２と同様の効果が得られるとともに、さらに以下の効果が得られる。すなわち、ユーザーがタイマーを設定するにあたり、時間指定および時刻指定のどちらを行う場合でも、同じ画面で設定できる。このため、従来のように時間指定を行うボタンと時刻指定を行うボタンとが離れた位置に配置されている場合に比べ、ユーザーの使い勝手が向上する。また、画面１２６に示したように、入タイマー、切タイマー、前回と同じ予約、予約解除、といったように、タイマーに関する機能を一覧表示することで、ユーザーの迷いを減らし、操作性を向上することができる。
【００８４】
さらに、タイマーの設定画面である画面１２７において、時間指定領域２３２に配置するボタンを、時刻を指定するような上下ボタン、タッチするたびに時刻が変化するトグルのようなボタン、ではなく、時間を示した時間ボタン２３２ａとしている。仮に、時間指定領域２３２に配置するボタンを、時刻を指定するような上下ボタン、トグルタッチするたびに時刻が変化するトグルのようなボタン、とした場合、ボタン操作時に上下限値、上下ボタンでの時間刻み、が不明であったり、操作回数が増えてしまったりして操作性が低下してしまう。
【００８５】
これに対し、画面１２７では、時間指定領域２３２に配置するボタンを複数の時間ボタン２３２ａとし、これらを一覧表示しているため、時間指定を行う場合のユーザーの迷いを減らし、操作性を向上することができる。なお、時間ボタン２３２ａの各時間を、ここでは３０分、１時間、２時間、４時間、７時間、１２時間としたが、これらの時間に限られたものではなく、他の任意の時間でも同じ効果が得られる。また、これらの時間をユーザーが自由に変更可能としても良い。また、時間ボタン２３２ａの数をここでは６個としたが、６個に限られたものではなく、任意に変更可能である。
【００８６】
なお、本実施の形態３のリモコン装置１の表示画面は、図１６、図１７に限定されるものではなく、本発明の要旨を逸脱しない範囲で種々変形実施可能である。以下、表示画面の変形例について説明する。
【００８７】
（変形例１）
図１８は、本発明の実施の形態３のリモコン装置のタイマー設定時における設定画面の変形例を示す図である。
図１８において、画面１２８は、図１７と同様の時間指定領域２３２と、図１７の時刻指定領域２３３とは異なる時刻指定領域２３４とを有している。時刻指定領域２３４では、上記の時刻指定領域２３３の時刻表示設定ボタン２３３ａ、時刻上ボタン２３３ｂおよび時刻下ボタン２３６が省略され、その代わりに「時刻で指定」ボタン（時刻指定ボタン）２３４ａが配置されている。画面１２９は「時刻で指定」ボタン２３４ａがタッチされると遷移する画面で、本画面１２９には時刻上ボタン２３５と時刻下ボタン２３６とＯＫボタン２３７と時刻表示２３８とが配置されている。
【００８８】
続いて動作について説明する。ユーザーは、画面１２８において「時刻で指定」ボタン２３４ａに記載された「時刻で指定」という文言を読むことで、ここから時刻が指定できると分かる。そして、ユーザーにより「時刻で指定」ボタン２３４ａがタッチされると、制御部１１は、表示部１３の表示画面を画面１２９へ遷移させる。ユーザーは画面１２９の時刻上ボタン２３５と時刻下ボタン２３６とを適宜タッチすることで、時刻表示２３８に示されている運転開始時刻を変更する。そして、時刻表示２３８に示されている運転開始時刻が希望の時刻となった場合、ユーザーはＯＫボタン２３７をタッチする。
【００８９】
制御部１１はＯＫボタン２３７のタッチを検知すると、時刻表示２３８に示されている運転開始時刻を空気調和機本体２の運転開始時刻として設定を終了するとともに、設定が終了した旨のポップアップ表示（図示せず）を表示部１３に表示させる。このポップアップ表示後は、例えば図３の画面１０１に戻る。
【００９０】
このように、変形例１では、タイマーの設定画面において、図１７の時刻表示設定ボタン２３３ａ、時刻上ボタン２３３ｂおよび時刻下ボタン２３３ｃの３つのボタンに代えて、１つの「時刻で指定」ボタン２３４ａを配置するようにした。このような設定画面とすることで、表示部１３が小さい場合でも、時間指定および時刻指定のどちらのタイマーも設定可能な画面を構成できる。よって、表示部１３が小さい場合でも、ユーザーは操作に迷うことなく画面１２８からタイマー設定を行うことができ、操作性が向上する。
【００９１】
（変形例２）
上記図１７の画面１２７、図１８の画面１２８および画面１２９でタイマー設定を終了した場合、上述したように、設定が終了した旨のポップアップ表示（図示せず）が行われる。ここで画面１２６〜画面１２９を用いた場合に、入タイマーと切タイマーとを併用したいシーンを考える。この場合、リモコン装置１では併用したいのか単独で使用したいのかは判断できないため、入タイマーと切タイマーとを別々に１回１回設定し直す必要がある。そこで、変形例２では、タイマー設定終了時のポップアップ表示において、ユーザーに入タイマーと切タイマーとを併用するかどうかの確認を行わせる。そして、併用する場合には、画面１０１（図３参照）に戻ることなく、続けてタイマーの設定画面に遷移してタイマー設定を継続して行えるようにする。以下、詳述する。
【００９２】
図１９は、本発明の実施の形態３に係るリモコン装置におけるタイマー設定終了時のポップアップ表示の変形例を示す図である。
図１９の画面１３０は、図１７の画面１２７、図１８の画面１２８および画面１２９でタイマー設定を終了した場合に表示される、設定終了のポップアップ表示である。画面１３１は切タイマーの設定画面である。
【００９３】
続いて動作を説明する。タイマー設定終了時のポップアップ表示である画面１３０にて、ユーザーにタイマーを併用するかどうかの確認を実施させている。ユーザーは単独でタイマーを使用したい場合は画面１３０で終了ボタン２３９をタッチする。一方、併用したい場合には切タイマーボタン２４０をタッチする。
【００９４】
制御部１１は、終了ボタン２３９がタッチされたことを検知すると、表示部１３の表示画面を例えば画面１０１（図３参照）に戻す。また、制御部１１は、切タイマーボタン２４０がタッチされたことを検知すると、表示部１３の表示画面を画面１３１へ遷移させる。画面１３１では上述の入タイマー設定時の画面１２８と同様の操作で切タイマーの設定が可能である。
【００９５】
このように変形例２では、タイマー設定終了時のポップアップ表示において、ユーザーにタイマーを併用するかどうかの確認を行わせ、併用する場合には続けてタイマーの設定画面に遷移できるようにした。これにより、タイマーを「入」、「切」のそれぞれ単独で設定したい場合でも併用したい場合でも、操作に迷うことなくタイマー設定を行うことができ、操作性が向上する。なお、ここでは、併用時に画面１３０から画面１３１へ遷移させたが、タイマーに制限が付くような場合（時刻で指定の場合のみ併用可のような場合）は、画面１２９のように時刻を設定する設定画面へ遷移させても良い。
【００９６】
なお、上述した各実施の形態では、リモコン装置１によって操作される操作対象の機器を空気調和装置とした場合を例に説明してきたが、操作対象の機器は空気調和装置に限られたものではない。
【符号の説明】
【００９７】
１  リモコン装置、２  空気調和機本体、１１  制御部、１２  送信部、１２ａ  送受信部、１３  表示部、１４  バックライト、１５  タッチパネル、１６  タッチ座標取得手段、１７  表示内容管理手段、１８  制御内容管理手段、１９  ハードボタン、１９ａ  運転ボタン、１９ｂ  画面点灯ボタン、２０  表示モード管理手段、１００  画面（メイン画面）、１０１  画面（メイン画面）、１０２  画面、１０３  画面、１０４  画面（メニュー画面）、１０５  画面（メニュー画面）、１０６  画面、１０７  画面（メニュー画面）、１０８  画面、１０９  画面、１１０  画面、１１１  画面（機能一覧画面）、１１２  画面（機能一覧画面）、１１３  画面（機能一覧画面）、１１４  画面、１１５  画面、１１６  画面、１１７  画面、１１８  画面、１１９  画面、１２０  画面、１２１  画面（表示モードを切替える設定を行う設定画面）、１２２  画面、１２３  画面（機器の機能を設定を変更する設定画面）、１２４  画面、１２５  画面、１２６  画面、１２７  画面（タイマーの設定画面）、１２８  画面（タイマーの設定画面）、１２９  画面、１３０  画面（他方のタイマーの設定を続けて行うかを確認する画面）、１３１  画面、１３２  画面（異常通知画面）、２００  運転ボタン、２０１  カスタムボタン、２０２  メニューボタン、２０３  運転モードボタン、２０４  温湿度ボタン、２０５  除菌ボタン、２０５ａ  「次へ」ボタン、２０５ｂ  「前へ」ボタン、２０６  切ボタン、２０７  入ボタン、２０８  設定ボタン、２０９  カスタムボタン設定ボタン、２１０  「すすむ」ボタン、２１１  除菌ボタン、２１２  カスタムボタン、２１３  カスタムボタン、２１４ａ  カスタムボタン、２１４ｂ  カスタムボタン、２１５  温度表示、２１６  上ボタン、２１７  下ボタン、２１８  冷房ボタン、２１９  １時間切タイマーボタン、２２０  暖房ボタン、２２１  表示モードボタン、２２２  かんたんモードボタン、２２３  表示モード変更ボタン、２２４  通常モードボタン、２２５  風速ボタン、２２７  タイマーボタン、２２８  入タイマーボタン、２２９  切タイマーボタン、２３０  「前回と同じ予約」ボタン、２３１  予約解除ボタン、２３２  時間指定領域、２３２ａ  時間ボタン、２３３  時刻指定領域、２３３ａ  時刻表示設定ボタン、２３３ｂ  時刻上ボタン、２３３ｃ  時刻下ボタン、２３４  時刻指定領域、２３４ａ  「時刻で指定」ボタン、２３５  時刻上ボタン、２３６  時刻下ボタン、２３７  ＯＫボタン、２３８  時刻表示、２３９  終了ボタン、２４０  切タイマーボタン。
【図１】
2016039441.tif 000003
【図２】
2016039441.tif 000004
【図３】
2016039441.tif 000005
【図４】
2016039441.tif 000006
【図５】
2016039441.tif 000007
【図６】
2016039441.tif 000008
【図７】
2016039441.tif 000009
【図８】
2016039441.tif 000010
【図９】
2016039441.tif 000011
【図１０】
2016039441.tif 000012
【図１１】
2016039441.tif 000013
【図１２】
2016039441.tif 000014
【図１３】
2016039441.tif 000015
【図１４】
2016039441.tif 000016
【図１５】
2016039441.tif 000017
【図１６】
2016039441.tif 000018
【図１７】
2016039441.tif 000019
【図１８】
2016039441.tif 000020
【図１９】
2016039441.tif 000021